(57)【要約】【課題】緩衝体に過度の荷重が掛かり変形した場合においても、安定して設置が可能となる梱包箱を提供する。【解決手段】梱包箱において、被梱包物を収容する箱本体と、該箱本体の内部に配置され、前記被梱包物及び前記箱本体の間に介在する緩衝体１とを備え、前記箱本体及び前記緩衝体１により前記被梱包物を梱包する梱包箱において、前記緩衝体１は、前記箱本体より突出し、先端面に窪みを形成してある突起部１６を備え、前記箱本体は、前記緩衝体１の突起部１６を貫通させる穴部を備える。【選択図】図１
2013142002.tif 000002
【特許請求の範囲】
【請求項１】
被梱包物を収容する箱本体と、
該箱本体の内部に配置され、前記被梱包物及び前記箱本体の間に介在する緩衝体とを備え、前記箱本体及び前記緩衝体により前記被梱包物を梱包する梱包箱において、
前記緩衝体は、前記箱本体より突出し、先端面に窪みを形成してある突起部を備え、
前記箱本体は、前記緩衝体の突起部を貫通させる穴部を備えること
を特徴とする梱包箱。
【請求項２】
前記箱本体は、第１の箱状部品と、該第１の箱状部品に外嵌する第２の箱状部品とからなり、
前記第１の箱状部品は、前記穴部を備え、
前記第１の箱状部品は、内部に前記緩衝体が配置され、
該緩衝体は、前記突起部の突出方向と直交する方向に突出する第２の突起部をさらに備え、
前記第１の箱状部品は、前記第２の突起部を貫通させる第２の穴部をさらに備え、
前記第２の箱状部品は、内部に第２の緩衝体が配置され、
該第２の緩衝体は、前記第２の突起部と平行な方向に突出する突起部を備え、
前記第２の箱状部品は、
前記第２の緩衝体の突起部を貫通させる穴部と、
前記第１の箱状部品の前記第２の穴部を貫通した前記第２の突起部を貫通させる第２の穴部とを備えること
を特徴とする請求項１に記載の梱包箱。
【請求項３】
前記緩衝体は、前記突起部を複数備えること
を特徴とする請求項１又は２に記載の梱包箱。
【請求項４】
前記緩衝体の複数の突起部のうち、一部の突起部は、他の突起部よりも、突出量が少なく、先端面を略平面としてあること
を特徴とする請求項３に記載の梱包箱。
【発明の詳細な説明】
【技術分野】
【０００１】
本発明は、薄型の画像表示装置などの細長い矩形形状を有する被梱包物を搬送する際に用いる梱包箱に関する。
【背景技術】
【０００２】
薄型の画像表示装置を備えるテレビジョン受像機は、梱包箱に梱包されて運搬される。テレビジョン受像機を梱包する梱包箱は、例えば、下部梱包箱、下部緩衝体、上部緩衝体、及び上部梱包箱から構成される。下部梱包箱に下部緩衝体を配置し、その上部にテレビジョン受像機を載置する。テレビジョン受像機の上部に被せる上部緩衝体とこの上部緩衝体のさらに上部から上部梱包箱を被せ、梱包後は周囲にバンドを掛けて縛るようにしてある。
【０００３】
しかしながら、上記の梱包箱においては、床面が濡れている保管場所に置かれた場合、梱包箱の底部が吸水し、梱包箱や緩衝体に損傷を受けたり、外観上見栄えが悪くなったりしていた。また、梱包箱の底部が変形することにより、梱包箱全体のバランスが悪くなり、梱包箱が転倒するなど荷崩れが発生するという問題があった。
【０００４】
それに対して、特許文献１には、箱状に形成された下部梱包箱と、該下部梱包箱の両側内部に収めて製品を載置する一組の下部緩衝体と、製品の上部を保護する上部緩衝体と、同上部緩衝体の上部から被せる天板等からなる梱包箱において、前記一組の下部緩衝体のそれぞれに脚体を一体に設けるとともに、前記下部梱包箱に前記脚体を突出させる複数の穴部を設けたことを特徴とする梱包箱が記載されている。
【先行技術文献】
【特許文献】
【０００５】
【特許文献１】特開平７−２２３６７５号公報
【発明の概要】
【発明が解決しようとする課題】
【０００６】
しかしながら、特許文献１に記載の梱包箱では、突起部の先端面を平面としている。先端面が平面形状である突起部は、梱包箱を積み上げた場合、左右の緩衝体に過度の荷重が掛かり、突起部が変形することがある。突起部が変形した場合、先端面の平面性が失われ、ガタつきが生じる。薄型の画像表示装置が被梱包物の場合、梱包箱の重心が上下方向中央より上寄りにあるため、梱包箱にガタつきにより、床置きの安定性を著しく低下させることとなる。
また、輸送時においては、梱包箱同士の摩擦により、梱包箱表面が傷つき、梱包箱の印字の見栄えが悪くなるという問題があった。さらにまた、荷扱いにより転倒が起き、被梱包物に衝撃を与えるという問題も生じていた。
しかし、これらの問題について、特許文献１に記載の梱包箱では、何ら考慮していない。
【０００７】
本発明は、上述のごとき実情に鑑みてなされたものであり、緩衝体に過度の荷重が掛かり変形した場合においても、安定して設置が可能となる梱包箱を提供することを目的とする。
また、輸送時に梱包材同士の摩擦による梱包材の損傷を軽減させると共に、転倒時の被梱包物に与える衝撃を軽減する梱包箱を提供することを目的とする。
【課題を解決するための手段】
【０００８】
本発明に係る梱包箱は、被梱包物を収容する箱本体と、該箱本体の内部に配置され、前記被梱包物及び前記箱本体の間に介在する緩衝体とを備え、前記箱本体及び前記緩衝体により前記被梱包物を梱包する梱包箱において、前記緩衝体は、前記箱本体より突出し、先端面に窪みを形成してある突起部を備え、前記箱本体は、前記緩衝体の突起部を貫通させる穴部を備えることを特徴とする。
【０００９】
本発明にあっては、被梱包物を収容する箱本体と、該箱本体の内部に配置され、前記被梱包物及び前記箱本体の間に介在する緩衝体とを備え、前記箱本体及び前記緩衝体により前記被梱包物を梱包する梱包箱において、前記緩衝体は、前記箱本体より突出し、先端面に窪みを形成してある突起部を備え、前記箱本体は、前記緩衝体の突起部を貫通させる穴部を備えるようにした。突起部先端面に窪みを形成してあるため、突起部と設置面との接する面積が、先端面を平面とした場合に比べ小さいため、緩衝体に過度な荷重が掛かり変形した場合であっても、安定して設置することが可能となる。
【００１０】
本発明に係る梱包箱は、前記箱本体は、第１の箱状部品と、該第１の箱状部品に外嵌する第２の箱状部品とからなり、前記第１の箱状部品は、前記穴部を備え、前記第１の箱状部品は、内部に前記緩衝体が配置され、該緩衝体は、前記突起部の突出方向と直交する方向に突出する第２の突起部をさらに備え、前記第１の箱状部品は、前記第２の突起部を貫通させる第２の穴部をさらに備え、前記第２の箱状部品は、内部に第２の緩衝体が配置され、該第２の緩衝体は、前記第２の突起部と平行な方向に突出する突起部を備え、前記第２の箱状部品は、前記第２の緩衝体の突起部を貫通させる穴部と、前記第１の箱状部品の前記第２の穴部を貫通した前記第２の突起部を貫通させる第２の穴部とを備えることを特徴とする。
【００１１】
本発明にあっては、前記緩衝体は、前記突起部の突出方向と直交する方向に突出する第２の突起部をさらに備え、前記第１の箱状部品は、前記第２の突起部を貫通させる第２の穴部をさらに備え、前記第２の箱状部品は、内部に第２の緩衝体が配置され、該第２の緩衝体は、前記第２の突起部と平行な方向に突出する突起部を備え、前記第２の箱状部品は、前記第２の緩衝体の突起部を貫通させる穴部と、前記第１の箱状部品の前記第２の穴部を貫通した前記第２の突起部を貫通させる第２の穴部とを備えることとした。従って、梱包箱を並置した場合、梱包箱同士がぶつかり合うことはなく、第２の緩衝体の突起部又は緩衝体の第２の突起部同士がぶつかり合う。または、第２の緩衝体の突起部又は緩衝体の第２の突起部と、他の梱包箱とがぶつかり合う。そのため、梱包箱同士が擦れ合うことがなく、梱包箱の損傷を軽減することが可能となる。
また、転倒時においては、緩衝体の第２突出部又は第２の緩衝体の突出部が接地するために、内部の製品に与える衝撃を軽減することが可能となる。
【００１２】
本発明に係る梱包箱は、前記緩衝体は、前記突起部を複数備えることを特徴とする。
【００１３】
本発明にあっては、前記緩衝体は、前記突起部を複数備えるので、梱包箱を安定して設置することが可能となる。
【００１４】
本発明に係る梱包箱は、前記緩衝体の複数の突起部のうち、一部の突起部は、他の突起部よりも、突出量が少なく、先端面を略平面としてあることを特徴とする。
【００１５】
本発明にあっては、前記緩衝体の複数の突起部のうち、一部の突起部は、他の突起部より突出量が少なく、先端面を略平面としてある。設置面に接している突起部が変形した場合であっても、突出量を少なくしてある突起部のいずれかの部分が接地する。そのため、梱包箱の底面が設置面に触れないように梱包箱を支えることが可能となる。
【発明の効果】
【００１６】
本発明にあっては、箱本体から突出する緩衝体の突出部は、先端面に窪みを形成してあるため、緩衝体に過度な荷重が掛かり変形した場合であっても、梱包箱を安定して設置することが可能となる。
【図面の簡単な説明】
【００１７】
【図１】実施の形態１に係る梱包箱の一構成例を示す斜視図である。
【図２】下部梱包箱の一構成例を右上から見た斜視図である。
【図３】下部緩衝体の一構成例を前上から見た斜視図である。
【図４】下部緩衝体の一構成例を後下から見た斜視図である。
【図５】上部緩衝体の一構成例を前上から見た斜視図である。
【図６】上部緩衝体の一構成例を後下から見た斜視図である。
【図７】左側上部緩衝体の一構成例を前上から見た斜視図である。
【図８】上部梱包箱と下部梱包箱とを組み合わせた状態の梱包箱の一構成例を前上から見た斜視図である。
【図９】上部梱包箱と下部梱包箱とを組み合わせた状態の梱包箱の一構成例を下から見た斜視図である。
【図１０】実施の形態２に係る左側下部緩衝体の一構成例を前上から見た斜視図である。
【図１１】図１０のＸＩ−ＸＩ線における部分断面図である。
【発明を実施するための形態】
【００１８】
以下、本発明をその実施の形態を示す図面に基づき具体的に説明する。
実施の形態１
図１は、実施の形態１に係る梱包箱の一構成例を示す斜視図である。実施の形態１にかかる梱包箱は、下部緩衝体１（緩衝体）、下部梱包箱２（第１の箱状部品）、上部梱包箱３（第２の箱状部品）、上部緩衝体４（第２の緩衝体）からなる。梱包箱により梱包される被梱包物は壁掛け式の液晶テレビジョン受像機５（「液晶テレビ５」と記す）である。液晶テレビ５は、略矩形平板状をなす筺体の一面に表示画面を有している。
なお、以下の説明においては、液晶テレビ５の表示画面が設けられた側を前側と呼び、前側の反対側を後側と呼び、表示画面に向かって左右をそれぞれ左側、右側と呼ぶこととする。また、表示画面に向かって上下をそれぞれ上側、下側と呼ぶこととする。
【００１９】
実施の形態１に係る梱包箱において、箱本体は、下部梱包箱２及び上部梱包箱３の二つの部品から構成されている。下部梱包箱２及び上部梱包箱３が組み合わさることにより、箱本体となる。梱包箱は、例えば、ダンボールにより形成する。
【００２０】
図２は、下部梱包箱２の一構成例を右上から見た斜視図である。下部梱包箱２は、略長方形の底壁部２１と、底壁部２１の四辺に設けられ、底壁部２１に対して略垂直に立ち上がる前壁部２２、後壁部２３、右壁部２４及び左壁部２５を備えている。下部梱包箱２の上面は開口部としてある。また、前壁部２２及び後壁部２３には穴部２６（第２の穴部）を形成してある。穴部２６は左右方向に長い略矩形状である。穴部２６は、前壁部２２及び後壁部２３の右端及び左端よりやや中央寄り、下側端部よりやや上側に形成してある。さらに、底壁部２１には穴部２７及び穴部２８が形成してある。穴部２７は略矩形状である。穴部２８は左右方向に長い略矩形状である。穴部２７は底壁部２１の右端付近及び左端付近に形成してある。穴部２８は底壁部２１の中央付近に形成してある。
【００２１】
図１に戻り、上部梱包箱３は、前側フラップ３５及び後側フラップ３６により形成された略矩形状平面より略垂直に立ち下がる前壁部３１、後壁部３２、右壁部３３及び左壁部３４を備えている。上部梱包箱３の前壁部３１には穴部３７（穴部）が形成されている。穴部３７は左右方向に長い略矩形状である。穴部３７は、前壁部３１の上端よりやや下に２つ形成してあり、一方は右壁部３３よりやや左寄り、他方は左壁部３４よりやや右寄りに形成してある。また、穴部３７は、前壁部３１の下端よりやや上に２つ形成してあり、それぞれの左右方向の位置は、上方にある穴部３７と略同一の位置に形成してある。
さらにまた、前壁部３１と同様に、後壁部３２には穴部３７が４つ形成してある。穴部３７のそれぞれの位置は、前壁部３１に形成してある穴部３７それぞれと、前後対称な位置に形成してある。
【００２２】
上部梱包箱３の下面は開口部としてある。上部梱包箱３及び下部梱包箱２は開口部の寸法が略同一となっており、上部梱包箱３と下部梱包箱２とが組み合わされることにより箱本体が形成される。上部梱包箱３と下部梱包箱２とが組み合わされた場合、下部梱包箱２の穴部２６と、上部梱包箱３の下側の穴部３７は、重なる位置となるようにしてある。
【００２３】
図３は下部緩衝体１の一構成例を前上から見た斜視図である。図４は下部緩衝体１の一構成例を後下から見た斜視図である。下部緩衝体１は、右側下部緩衝体１１、中央下部緩衝体１２及び左側下部緩衝体１３を連結部１４で連結する構成としている。下部緩衝体１は、例えば、発泡スチロールにて形成する。
【００２４】
右側下部緩衝体１１は、略矩形の底壁部１１ｄより略垂直に立ち上がる、右壁部１１ａ、前壁部１１ｂ、及び後壁部１１ｃを備えている。壁の高さは、右壁部１１ａが最も高く、次いで、後壁部１１ｃ、前壁部１１ｂの順である。右壁部１１ａの左面には平面視Ｕ字形の凹部１１ｅが形成してある。凹部１１ｅの寸法は、液晶テレビ５の右下側面と略同一の寸法としてあり、凹部１１ｅが液晶テレビ５の右下側面に嵌るようにしてある。右壁部１１ａの上部には前後左右に張り出す鍔が形成してある。前壁部１１ｂ、後壁部１１ｃ及びその間の底壁部１１ｄにより、断面略Ｕ字型の凹部１５が形成してある。凹部１５の寸法は、液晶テレビ５の右下部分と略同一の寸法としてあり、凹部１５が液晶テレビ５の右下部分に嵌るようにしてある。
【００２５】
図３に示しているように、右側下部緩衝体１１には突起部１９（第２の突起部）が形成してある。突起部１９は左右方向に長い略直方体状であり、前側の角を面取りしてある。突起部１９は、右側下部緩衝体１１の前壁１１ｂの上下方向中央寄り下側、左右方向中央よりやや右側に形成してある。図４に示しているように、右側下部緩衝体１１の後側にも、同様な形状の突起部１９が形成してある。前及び後の突起部１９は前後対称の位置に形成してある。
【００２６】
図４に示しているように、右側下部緩衝体１１の下面には、さらに突起部１６が形成してある。突起部１６は、右側下部緩衝体１１の下面右端からやや中央寄りの位置に形成してある。突起部１６の左右方向の寸法は、右側下部緩衝体１１の左右方向の寸法より小さくしてある。突起部１６の前後方向の寸法は、右側下部緩衝体１１の前後方向の寸法をやや下回る程度である。突起部１６の先端面には、窪み１８が形成してある。窪み１８は、前後方向の断面が略台形状としてある。
【００２７】
図３に示しているように、中央下部緩衝体１２は、底壁部１２ｄより略垂直に立ち上がる、前壁部１２ｂ、及び後壁部１２ｃを備えている。壁の高さは、前壁部１２ｂよりも後壁部１２ｃが高くしてある。前壁部１２ｂ、後壁部１２ｃ、及びその間の底壁部１２ｄにより断面略Ｕ字型の凹部１５が形成してある。凹部１５の寸法は、液晶テレビ５の中央下部分と略同一の寸法としてあり、凹部１５が液晶テレビ５の中央下部分に嵌るようにしてある。
【００２８】
図４に示しているように、中央下部緩衝体１２の下面には、突起部１７が形成してある。突起部１７の左右方向の寸法は中央下部緩衝体１２の左右方向の寸法と略同一寸法である。突起部１７の前後方向の寸法は中央下部緩衝体１２の前後方向寸法より小さくしてある。突起部１７は中央下部緩衝体１２の前後方向の中央付近に形成してある。突起部１７の突出量は、右側下部緩衝体１１の突起部１６よりも少なくしてある。
【００２９】
図３に示しているように、左側下部緩衝体１３は、底壁部１３ｄより略垂直に立ち上がる左壁部１３ａ、前壁部１３ｂ、及び後壁部１３ｃを備えている。壁の高さは、左壁部１３ａ及び後壁部１３ｃはほぼ同一であり、前壁部１３ｂは、左壁部１３ａ、及び後壁部１３ｃより低くしてある。前壁部１３ｂ、後壁部１３ｃ、及びその間の底壁部１３ｄにより断面略Ｕ字型の凹部１５が形成してある。凹部１５の寸法は、液晶テレビ５の左下部分の寸法と略同一としてあり、凹部１５が液晶テレビ５の左下部分に嵌るようにしてある。後壁部１３ｃの右側は、前視長方形の壁が数枚連続して斜めにせり出すよう形成してあり、右壁部１３ａに形成された平面視略Ｕ字型の凹部１３ｅと連なっている。凹部１３ｅの寸法は、液晶テレビ５の左側面部分及び左角部分と略同一の寸法としてあり、凹部１３ｅが、液晶テレビ５の左側面部分及び左角部分に嵌るようにしてある。
【００３０】
図３に示しているように、左側下部緩衝体１３には突起部１９が形成してある。突起部１９は左右方向に長い略直方体状であり、前側の角を面取りしてある。突起部１９は、左側緩衝体１５の前壁１３ｂの上下方向中央より下側、左右方向中央よりやや左側に形成してある。図４に示しているように、左側下部緩衝体１５の後にも、同様な形状の突起部１９が形成してある。前及び後の突起部１９は前後対称の位置に形成してある。
【００３１】
図４に示しているように、左側下部緩衝体１５の下面には、さらに突起部１６が形成してある。突起部１６は、左側下部緩衝体１５の下面左端からやや中央寄りの位置に形成してある。突起部１６の左右方向の寸法は、左側下部緩衝体１５の左右方向の寸法より小さくしてある。突起部１６の前後方向の寸法は、左側下部緩衝体１５の前後方向の寸法をやや下回る程度である。突起部１６の先端面には、窪み１８が形成してある。窪み１８は、前後方向の断面が略台形状としてある。
【００３２】
図３又は図４に示しているように、右側下部緩衝体１１、中央下部緩衝体１２及び左側下部緩衝体１３は、連結部１４により連結され、下部緩衝体１を構成している。下部緩衝体１の左右方向の寸法は、下部梱包箱２の左右方向の内寸法と略同一としてある。図１に示したように、下部梱包箱２の内部に下部緩衝体１をはめ込み、配置する。
【００３３】
右側下部緩衝体１１の突起部１６及び下部梱包箱２の底壁部２１に形成してある穴部２７の一方は、下部緩衝体１が下部梱包箱２に配置された際に、上方から見て重なるような位置に形成してある。同様に、左側下部緩衝体１３の突起部１６及び下部梱包箱２の底壁部２１に形成してある穴部２７の他方は、下部緩衝体１が下部梱包箱２に配置された際に、上方から見て重なるような位置に形成してある。同様に、中央下部緩衝体１２の突起部１７及び下部梱包箱２の底壁部２１に形成してある穴部２８は、下部緩衝体１が下部梱包箱２に配置された際に、上方から見て重なるような位置に形成してある。
【００３４】
したがって、下部緩衝体１を下部梱包箱２に配置すると、右下部緩衝体１１及び左側下部緩衝体１３に形成してある突起部１６が、下部梱包箱２に形成してある穴部２７を貫通し、外部に突出するようにしてある。また、中央下部緩衝体１２に形成してある突起部１７が下部梱包箱２に形成してある穴部２８を貫通し、外部に突出するようにしてある。２つの突起部１６が梱包箱の脚となる。
【００３５】
また、下部緩衝体１の突起部１９及び下部梱包箱２の前壁部２２に形成してある穴部２６は、下部緩衝体１が下部梱包箱２に配置された際には、前から見て重なる位置に形成してある。同様に、下部緩衝体１の突起部１９及び下部梱包箱２の後壁部２３に形成してある穴部２６は、下部緩衝体１が下部梱包箱２に配置された際には、後から見て重なる位置に形成してある。
したがって、下部緩衝体１が下部梱包箱２に配置された際には、突起部１９は、穴部２６を貫通し、前壁部２２及び後壁部２３より、突出する。下部緩衝体１と下部梱包箱２とは、突起部１６、１７及び１９と、それぞれに対応した穴部２７、２８、２６により、互いに固定される。
【００３６】
下部緩衝体１の左右にある２つの突起部１６は、左右方向にそれぞれ対称な位置に形成してある。また、下部梱包箱２に形成してある穴部２７も、左右方向に対称な位置に形成してある。
さらにまた、右側下部緩衝体１１の２つの突起部１９及び左側下部緩衝体の２つの突起部１９も、それぞれ左右方向に対称な位置に形成してある。下部梱包箱２の左右それぞれに２個ずつ形成した穴部２６も、それぞれ左右方向に対称な位置に形成してある。そのため、下部緩衝体１の前後に関係なく、該下部緩衝体１を下部梱包箱２に配置することが可能となる。
【００３７】
図５は上部緩衝体４の一構成例を前上から見た斜視図である。図６は上部緩衝体４の一構成例を後下から見た斜視図である。図５及び図６は共に、使用時において並べられた状態の図である。上部緩衝体４は、右側上部緩衝体４１、中央上部緩衝体４２、及び左側上部緩衝体４３を備えている。上部緩衝体４は、例えば、発泡スチロールにて形成する。
【００３８】
図５に示しているように、右側上部緩衝体４１は、略矩形状の上壁部４１ｄと、上壁部４１ｄより上壁部４１ｄに対して略垂直方向に立ち下がる右壁部４１ａ、前壁部４１ｂ、及び後壁部４１ｃを備えている。
【００３９】
右側上部緩衝体４１には、突起部４５が形成してある。突起部４５は左右方向に長い略直方体状であり、前側の角を面取りしてある。突起部４５は、前壁部４１ｂの中央よりやや右側に形成してある。図６に示しているように、右側上部緩衝体４１の後側にも、突起部４５が形成してある。前及び後の突起部４５は前後対称の位置に形成してある。
【００４０】
中央上部緩衝体４２は、逆Ｔ字形状の上壁部４２ｄと、上壁部４２ｄより上壁部４２ｄに対して略垂直方向に立ち下がる後壁部４２ｃ及び前壁部４２ｂを備えている。上壁部４２ｄは、後壁部４２ｃより左右に張り出している。また、前壁部４２ｂは、上壁部４２ｄより下方に延びる柱形状の壁を備えている。
【００４１】
図７は、左側上部緩衝体４３の一構成例を前上から見た斜視図である。
図５及び図７に示しているように、左側上部緩衝体４３は、略矩形状の上壁部４３ｄと、上壁部４３ｄより上壁部４３ｄに対して略垂直方向に立ち下がる前壁部４３ｂ、後壁部４３ｃ、及び左壁部４３ａを備えている。
【００４２】
左上部緩衝体４３には、突起部４５が形成してある。突起部４５は左右方向に長い略直方体状であり、前側の角を面取りしてある。突起部４５は、前壁部４３ｂ左右方向中央よりやや左側に形成してある。図６に示しているように、左側上部緩衝体４３の後壁部４３ｃにも、同様な突起部４５が形成してある。前及び後の突起部４５は前後対称の位置に形成してある。
【００４３】
図７に示しているように、左上部緩衝体４３は、前壁部４３ｂ、上壁部４３ｄ、後壁部４３ｃ、及び左壁部４３ａにより凹部４４を形成してある。凹部４４の寸法は液晶テレビ５の左上側面部分及び左上部分の寸法と略同一としてあり、凹部４４が液晶テレビ５の左上側面部及び左上部分に嵌るようにしてある。
【００４４】
同様に、右上部緩衝体４１には、右壁部４１ａ、前壁部４１ｂ、上壁部４１ｄ、及び後壁部４１ｃにより凹部を形成してある。凹部４４の寸法は、液晶テレビ５の右上側面部分及び右上部分と略同一としてあり、凹部が液晶テレビ５の右上側面部分及び右上部分に嵌るようにしてある。
【００４５】
さらに同様に、中央上部緩衝体４２は、後壁部４２ｃ、上壁部４２ｄ、及び前壁部４２ｂにより凹部を形成してある。凹部の寸法は、液晶テレビ５の上中央部分と略同一としてあり、凹部が液晶テレビ５の上中央部分に嵌るようにしてある。
【００４６】
上部緩衝体４は、図５に示している状態で、液晶テレビ５に嵌めこむ。上部緩衝体４は上から上部梱包箱３に覆われる。
上述の突起部４５及び上部梱包箱３に形成してある穴部３７のうち、上端付近の穴部３７は、上部緩衝体４が上部梱包箱３に配置された際に、前側から見て重なるような位置に形成してある。したがって、上部緩衝体４が上部梱包箱３に配置された際には、突起部４５は、穴部３７を貫通し、前壁部３１及び後壁部３２より、突出する。上部緩衝体４と上部梱包箱３とは、突起部４５と穴部３７により、互いに固定される。
【００４７】
右側上部緩衝体４１の２つの突起部４５及び左側上部緩衝体４３の２つの突起部４５は、それぞれ左右方向に対称な位置に形成してある。上部梱包箱３の左右それぞれに２個ずつ形成した穴部３７も、それぞれ左右方向に対称な位置に形成してある。そのため、上部緩衝体４の前後に関係なく、上部梱包箱３を上部緩衝体３に被せる事が可能である。
【００４８】
実施の形態１に係る梱包箱により液晶テレビ５を梱包する場合、以下の手順で行う。
（１）下部梱包箱２の底壁部に下部緩衝体１を配置する。その際、下部緩衝体１の突起部１９を下部梱包箱２６に貫通させる。下部緩衝体１の突起部１６、１７を、それぞれ下部梱包箱２の穴部２６、２８に貫通させる。
（２）下部梱包箱２に上方から、ビニール製の梱包袋で梱包した液晶テレビ５を収容し、液晶テレビの底部を下部緩衝体１に嵌合させる。
（３）液晶テレビ５の上部に上部緩衝体４を嵌合させる。
（４）上部梱包箱３を上方から被せ、下部梱包箱２に外嵌させる。このとき、上部梱包箱３の上側の穴部３７に上部緩衝体４に形成した突起部４５を、及び上部梱包箱３の下側の穴部３７に下部緩衝体１に形成した突起部１９を貫通させる。
（５）最後に、縦方向にバンド（結束バンド、締付けバンド、ＰＰバンド等）掛けをして縛る。
【００４９】
図８は、上部梱包箱３と下部梱包箱２とを組み合わせた状態の梱包箱の一構成例を前上から見た斜視図である。図８Ｂは部分拡大図であり、上部緩衝体４の備える突起部４５が、上部梱包箱３の穴部３７を貫通する部分を表している。図８Ｃは部分拡大図であり、下部緩衝体１の備える突起部１９が、上部梱包箱３の穴部３７を貫通する部分を表している。
【００５０】
上部梱包箱３及び下部梱包箱２は、上部梱包箱３が下部梱包箱２を覆うように組み合わせることにより一体となる。上部梱包箱３を下部梱包箱２に組み合わせた場合、下部梱包箱２の穴部２６を貫通した下部緩衝体１が備える突起部１９が、さらに、上部梱包箱３下側の穴部３７を貫通する。これにより、下部梱包箱２及び上部梱包箱３は互いに固定される。
【００５１】
図９は、上部梱包箱３と下部梱包箱２とを組み合わせた状態の梱包箱の一構成例を下から見た斜視図である。
液晶テレビ５を梱包した梱包箱は、立てられた状態で並べられ、載置、運搬される。突起部１６が脚となり、梱包箱を支えることとなる。通常、上下方向には二段に積み上げられるため、下段の梱包箱には、上段の梱包箱の重量が荷重として掛かることとなる。
【００５２】
突出部１６の先端面は、前側と後側の一部分を除いてへこませてある。発泡スチロールにより下部緩衝体１を製作した場合、平面の精度が低いため、接地面積をなるべく小さくした方が、梱包箱の安定性を確保できるからである。
【００５３】
下部梱包箱２の中心付近より、下部緩衝体１の突起部１７が突出している。突起部１７は、突起部１６よりも突出量を少なくしてある。そのため、通常状態において、接地するのは二つの突起部１６となる。しかし、突起部１６の一方が損傷し、突起部１６の支持機能が損なわれるようになった場合、突起部１７が接地することにより、突起部１６の荷重を分散させる。また、突起部１６に荷重が掛かり、突起部１６の突出量が減少した場合に、突起部１７が接地することにより、突起部１６の荷重を分散させる。このような、突起部１７の働きにより、梱包箱の安定性を確保することが可能となる。
【００５４】
突起部１７は接地面を略平面としている。突起部１７の接地面を略平面としておけば、突起部１６がどのように変形しても、突起部１７の少なくとも一部分が接地する可能性が高いからである。
【００５５】
実施の形態１において、上部梱包箱３の穴部３７からは、下部緩衝体１が備える突起部１９又は上部緩衝体４が備える突起部４５が突出している。そのため、梱包箱が転倒した場合、最初に突起部１９又は突起部４５が接地し、その後に、上部梱包箱３が接地することとなる。
最初に突起部１９又は突起部４５が接地することにより、転倒による衝撃がある程度、軽減された後に、上部梱包箱３が接地する。したがって、突起部１９又は突起部４５がない場合に比べて、梱包箱に与える衝撃は軽減されるため、被梱包物に与える衝撃も軽減することが可能となる。
【００５６】
また、実施の形態１において、液晶テレビ５をそれぞれ梱包した複数の梱包箱は前側の面又は後側の面が接するように並置され運搬される。その際、振動により隣り合った梱包箱がぶつかり合うが、突起部１９又は突起部４５があるため、突起部１９又は突起部４５同士、若しくは、突起部１９と上部梱包箱３又は突起部４５と上部梱包箱３とがぶつかり合う。そのため、上部梱包箱３同士がぶつかり合うことがないため、上部梱包箱の印字の見えが悪くなることを防ぐことが可能となる。
【００５７】
実施の形態２
上述の実施の形態１において、下部緩衝体１に突起部１９を、上部緩衝体４に突起部４５を設けている。液晶テレビ５を梱包する場合、突起部１９は下部梱包箱２の穴部２６に、突起部４５は上部梱包箱３の穴部３７に貫通させる。上述したように下部緩衝体１及び上部緩衝体４を発泡スチロールで形成した場合、突起部１９及び突起部４５はたわみにくいため、突起部を穴部に貫通させる作業が行いづらいこととなる。本実施の形態においては、その点を考慮している。なお、以下の説明においては、上述の実施の形態１との相違点を主に説明し、実施の形態１と共通する部分については、説明を省略する。
【００５８】
図１０は実施の形態２に係る左側下部緩衝体１３の一構成例を前上から見た斜視図である。図１１は図１０のＸＩ−ＸＩ線における部分断面図である。突起部１９の近傍に空洞部１９ａを設けてある。前側の空洞部１９ａは前側の突起部１９の後側に、後側の空洞部１９ａは後側の突起部１９の前側に、それぞれ設けてある。空洞部１９ａの左右方向の長さは、それぞれ突起部１９よりやや長くなっている。突起部１９の前後方向の長さは、数センチ程度ある。空洞部１９ａはそれぞれ突起部１９の上面とほぼ面一の位置から、左側下部緩衝体１３の下方向に伸びている。空洞部１９ａの深さはそれぞれ突起部１９の高さの１．５倍程度としてある。
【００５９】
突起部１９の近傍に空洞部１９ａを設けたことにより、左側下部緩衝体１３を下部梱包箱２に取り付ける際、突起部１９は空洞部１９ａ側にたわむため、突起部１９を下部梱包箱２に設けてある穴部２６に貫通させやすくなる。
【００６０】
左側下部緩衝体１３と同様に、右側下部緩衝体１１及び中央下部緩衝体１２にも空洞部を設ける。また、上部緩衝体４（右側上部緩衝体４１、中央上部緩衝体４２、左側上部緩衝体４３）にも、左側下部緩衝体１３と同様な空洞部を設けることにより、上部緩衝体４に設けた突起部４５を上部梱包箱３の穴部３７に貫通させやすくなる。
【００６１】
なお、上述及び図示した空洞部１９ａの形状は略直方体状であるが、一例であり、他の形状、例えば、円柱状や楕円柱状であっても良い。また、空洞部１９ａは突起部１９をたわませるための構造の一例であり、空洞部１９ａを設けるのではなく、例えば、突起部１９のみ材質を異なったものにする、突起部１９近傍は異なった材質にするなどにより、突起部１９をたわみやすくしても良い。
【００６２】
上述の実施の形態１及び実施の形態２においては、梱包する被梱包物を液晶テレビ５としたが、これに限るものではなく、他の平板状のものであってもよい。例えば、プラズマテレビ受像機である。また、緩衝体及び梱包箱の大きさ及び形状等は被梱包物の大きさ及び形状等に応じた適切なものとすれば良い。
【００６３】
下部梱包箱２及び上部梱包箱３をダンボール製としたが、これに限るものではなく、厚紙製、木製又はポリプロピレン製等の他の材質によるものであってもよい。さらに、下部緩衝体１、上部緩衝体４の緩衝体を発泡スチロール製としたが、これに限るものではなく、厚紙製、発泡ポリプロピレン、又は合成樹脂等の他の材質によるものであってもよい。
【００６４】
梱包箱本体は、下部梱包箱２及び上部梱包箱３の２つの梱包箱から構成されるものとしたが、１つの梱包箱で構成してもよいし、３つ以上の梱包箱により構成しても良い。
【００６５】
また、液晶テレビ５を覆う梱包袋をビニール製としたが、これに限るものではなく、紙製などの他の材質によるものであってもよい。梱包袋を用いない構成であってもよい。
【００６６】
なお、上述した実施の形態はすべての点で例示であって、制限的なものではないと考えられるべきである。本発明の範囲は、上述した意味ではなく、特許請求の範囲によって示され、特許請求の範囲と均等の意味及び範囲内でのすべての変更が含まれることが意図される。
【符号の説明】
【００６７】
１  下部緩衝体
２  下部梱包箱
３  上部梱包箱
４  上部緩衝体
１１  右側下部緩衝体
１２  中央下部緩衝体
１３  左側下部緩衝体
１６  突起部
１９  突起部
１９ａ  空洞部
２６  穴部
２７  穴部
３７  穴部
４１  右側上部緩衝体
４２  中央上部緩衝体
４３  左側上部緩衝体
４５  突起部
５  液晶テレビジョン受像機（液晶テレビ）
【図１】
2013142002.tif 000003
【図２】
2013142002.tif 000004
【図３】
2013142002.tif 000005
【図４】
2013142002.tif 000006
【図５】
2013142002.tif 000007
【図６】
2013142002.tif 000008
【図７】
2013142002.tif 000009
【図８】
2013142002.tif 000010
【図９】
2013142002.tif 000011
【図１０】
2013142002.tif 000012
【図１１】
2013142002.tif 000013